【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
アレー式発光素子であって、
絶縁キャリヤーと、
前記絶縁キャリヤーの上に形成される発光ユニットアレーと、
を含み、
前記発光ユニットアレーは、
第一発光ユニットを含み、単方向回路である第一発光ユニット回路と、
第二発光ユニットを含み、単方向回路である第二発光ユニット回路と、
第一導電層と、
第二導電層と、
第三導電層と、
を含み、
前記第一発光ユニット回路は、前記第一導電層と前記第二導電層との間において電気的な接続を形成し、
前記第二発光ユニット回路は、前記第二導電層と前記第三導電層との間において電気的な接続を形成し、
前記第二導電層の面積は、１．９×１０３μｍ２以上である、アレー式発光素子。
【請求項２】
前記第一発光ユニット回路及び前記第二発光ユニット回路は、順方向又は逆方向の直列接続である、請求項１に記載のアレー式発光素子。
【請求項３】
前記第一発光ユニット回路の回路方向は、前記第一導電層から前記第二導電層への方向であり、
前記第二発光ユニット回路の回路方向は、前記第三導電層から前記第二導電層への方向であり、
前記アレー式発光素子は、さらに、第四導電層と、第三発光ユニット回路と、を含み、
前記第三発光ユニット回路は、前記第二導電層と前記第四導電層との間において電気的な接続を形成し、
前記第三発光ユニット回路は、前記絶縁キャリヤーの上に形成される第三発光ユニットを含み、
前記第三発光ユニット回路は、前記第二導電層から前記第四導電層に指向する単方向回路である、請求項１に記載のアレー式発光素子。
【請求項４】
前記アレー式発光素子は、さらに、第五導電層と、第四発光ユニット回路と、を含み、
前記第四発光ユニット回路は、前記第四導電層と、前記第五導電層との間において電気的な接続を形成し、
前記第四発光ユニット回路は、前記絶縁キャリヤーの上に形成される第四発光ユニットを含み、
前記第四発光ユニット回路は、前記第四導電層から前記第五導電層に指向する単方向回路である、請求項３に記載のアレー式発光素子。
【請求項５】
前記アレー式発光素子は、さらに、第六導電層と、第五発光ユニット回路と、を含み、
前記第五発光ユニット回路は、前記第四導電層と、前記第六導電層との間において電気的な接続を形成し、
前記第五発光ユニット回路は、前記絶縁キャリヤーの上に形成される第五発光ユニットを含み、
前記第五発光ユニット回路は、前記第四導電層から前記第六導電層に指向する単方向回路である、請求項４に記載のアレー式発光素子。
【請求項６】
前記第三発光ユニット回路は、さらに、前記絶縁キャリヤーの上に形成される第六発光ユニットを含み、
前記第一導電層及び前記第五導電層は、夫々、第一導線により、交流電源サプライヤーの第一接点に接続され、
前記第三導電層及び前記第六導電層は、夫々、第二導線により、前記交流電源サプライヤーの第二接点に接続される、請求項５に記載のアレー式発光素子。
【請求項７】
前記第四導電層、前記第五導電層、又は前記第六導電層の材料は、金属又は導電金属酸化材料を含み、及び／又は、前記第四導電層、前記第五導電層、又は前記第六導電層の面積は、１．９×１０３μｍ２以上である、請求項５に記載のアレー式発光素子。
【請求項８】
前記第二導電層と前記第四導電層との間には、さらに、第六発光ユニット回路が含まれ、
前記第六発光ユニット回路は、第六発光ユニットを含み、前記第六発光ユニット回路は、前記第三発光ユニット回路と並列接続される、請求項５に記載のアレー式発光素子。
【請求項９】
前記アレー式発光素子は、さらに、第七導電層と、第八導電層と、第九導電層と、を含み、
前記第七導電層と前記第八導電層との間には、第六発光ユニット回路が含まれ、前記第六発光ユニット回路は、前記絶縁キャリヤーの上に形成される第六発光ユニットを含み、また、単方向回路であり、
前記第七導電層と前記第九導電層との間には、第七発光ユニット回路が含まれ、前記第七発光ユニット回路は、前記絶縁キャリヤーの上に形成される第七発光ユニットを含み、また、単方向回路であり、
前記第四導電層と前記第七導電層との間は、導線により、接続される、請求項５に記載のアレー式発光素子。
【請求項１０】
前記第一導電層と前記第五導電層とは、第一配線パッドにより接続され、前記第一配線パッドの一部は、前記第一導電層の上に形成され、前記第一配線パッドの他の一部は、前記第五導電層の上に形成され、
前記第三導電層と前記第六導電層とは、第二配線パッドにより接続され、前記第二配線パッドの一部は、前記第三導電層の上に形成され、前記第二配線パッドの他の一部は、前記第六導電層の上に形成される、請求項５に記載のアレー式発光素子。
【請求項１１】
前記アレー式発光素子は、さらに、
前記絶縁キャリヤーの上に形成される第五導電層と、
前記絶縁キャリヤーの上に形成される第六導電層と、
前記絶縁キャリヤーの上に形成される第七導電層と、
前記絶縁キャリヤーの上に形成される第八導電層と、
前記絶縁キャリヤーの上に形成される第四発光ユニットを含み、前記第五導電層と、前記第六導電層との間に位置する第四発光ユニット回路と、
前記絶縁キャリヤーの上に形成される第五発光ユニットを含み、前記第六導電層と、前記第七導電層との間に位置する第五発光ユニット回路と、
前記絶縁キャリヤーの上に形成される第六発光ユニットを含み、前記第七導電層と、前記第八導電層との間に位置する第六発光ユニット回路と、
を含み、
前記第一発光ユニット回路、前記第二発光ユニット回路、及び前記第三発光ユニット回路は、直列接続されて順方向回路となり、
前記第四発光ユニット回路、前記第五発光ユニット回路、及び前記第六発光ユニット回路は、直列接続されて逆方向回路となり、
前記第二導電層と前記第六導電層とは、第三導線により接続され、
前記第三導電層と前記第七導電層とは、第四導線により接続される、請求項３に記載のアレー式発光素子。
【請求項１２】
前記絶縁キャリヤーは、成長基板であり、前記第一発光ユニット及び前記第二発光ユニットの材料は、半導体材料を含み、且つ、エピタキシー法により前記絶縁キャリヤーに成長される、請求項１に記載のアレー式発光素子。
【請求項１３】
アレー式発光素子であって、
絶縁キャリヤーと、
前記絶縁キャリヤーの上に形成される第一発光ユニットを含む、単方向回路である第一発光ユニット回路と、
前記絶縁キャリヤーの上に形成される第二発光ユニットを含む、単方向回路である第二発光ユニット回路と、
前記絶縁キャリヤーの上に形成される第一導電層と、
前記絶縁キャリヤーの上に形成される第二導電層と、
前記絶縁キャリヤーの上に形成される第三導電層と、
を含み、
前記第一発光ユニット回路は、前記第一導電層と前記第二導電層との間において電気的な接続を形成し、
前記第二発光ユニット回路は、前記第二導電層と前記第三導電層との間において電気的な接続を形成し、
前記第二導電層の面積の大小は、配線に供することができる面積の大小である、アレー式発光素子。
【請求項１４】
発光モジュールであって、
基板と、
前記基板の上に形成される光源発生装置と、
を含み、
前記光源発生装置は、複数の、請求項１乃至１１の何れか一項に記載のアレー式発光素子を含み、
前記光源発生装置は、
赤色光を発する第一アレー式発光素子と、
青色光を発する第二アレー式発光素子と、
緑色光を発する第三アレー式発光素子と、
黄色光を発する第四アレー式発光素子と、
を含む、発光モジュール。
【請求項１５】
前記黄色光の第四アレー式発光素子は、青色光又は紫色光を発する発光ユニットの外周に、黄色蛍光粉と混合したゴム材を塗布することにより得られる、請求項１４に記載の発光モジュール。
【請求項１６】
発光モジュールであって、
積載部と、第一発光素子と、第二発光素子と、を含み、
前記第一発光素子は、
前記積載部の上に設けられる第一絶縁キャリヤーと、
前記第一絶縁キャリヤーの上に設けられ、両端が夫々第一導電層及び第二導電層と電気的に接続され、前記第一導電層から前記第二導電層に指している少なくとも一つの第一発光ユニットを含む第一発光ユニット回路と、
前記第一絶縁キャリヤーの上に設けられ、両端が夫々第二導電層及び第三導電層と電気的に接続され、前記第三導電層から前記第二導電層に指している少なくとも一つの第二発光ユニットを含む第二発光ユニット回路と、
前記第一絶縁キャリヤーの上に設けられ、両端が夫々第二導電層及び第四導電層と電気的に接続され、前記第二導電層から前記第四導電層に指している少なくとも一つの第三発光ユニットを含む第三発光ユニット回路と、
前記第一絶縁キャリヤーの上に設けられ、両端が夫々第四導電層及び第五導電層と電気的に接続され、前記第四導電層から前記第五導電層に指している少なくとも一つの第四発光ユニットを含む第四発光ユニット回路と、
前記第一絶縁キャリヤーの上に設けられ、両端が夫々第四導電層及び第六導電層と電気的に接続され、前記第四導電層から前記第六導電層に指している少なくとも一つの第五発光ユニットを含む第五発光ユニット回路と、
を含み、
前記第二導電層及び前記第四導電層の面積は、１．９×１０３μｍ２以上であり、
前記第二発光素子は、
第二絶縁キャリヤーと、
前記第二絶縁キャリヤーの上に設けられ、少なくとも一つの第六発光ユニットを含み、両端が夫々第七導電層及び第八導電層と電気的に接続される第六発光ユニット回路と、
を含み、
前記第七導電層及び前記第八導電層の面積は、１．９×１０３μｍ２以上であり、
前記第六発光ユニットは、前記第七導電層から前記第八導電層に指している、発光モジュール。
【請求項１７】
前記第七導電層と前記第二導電層との間、及び、前記第八導電層と前記第四導電層との間は、夫々、導線により接続され、前記第六発光ユニット回路と前記第三発光ユニット回路とは、並列接続となり、
或いは、前記第三発光ユニット回路は、前記第三発光ユニットと前記第四導電層との間に、面積が１．９×１０３μｍ２以上である第九導電層が設けられ、
前記第八導電層と前記第四導電層との間、及び、前記第七導電層と前記第九導電層との間は、夫々、導線により接続され、前記第六発光ユニット回路と前記第三発光ユニット回路とは、直列接続となる、請求項１６に記載の発光モジュール。
【請求項１８】
発光モジュールであって、
積載部と、第一発光素子と、第二発光素子と、を含み、
前記第一発光素子は、
前記積載部の上に設けられる第一絶縁キャリヤーと、
前記第一絶縁キャリヤーの上に設けられ、両端が夫々第一導電層及び第二導電層と電気的に接続され、前記第一導電層から前記第二導電層に指している少なくとも一つの第一発光ユニットを含む第一発光ユニット回路と、
前記第一絶縁キャリヤーの上に設けられ、両端が夫々第二導電層及び第三導電層と電気的に接続され、前記第三導電層から前記第二導電層に指している少なくとも一つの第二発光ユニットを含む第二発光ユニット回路と、
前記第一絶縁キャリヤーの上に設けられ、両端が夫々第四導電層及び第五導電層と電気的に接続され、前記第四導電層から前記第五導電層に指している少なくとも一つの第三発光ユニットを含む第三発光ユニット回路と、
前記第一絶縁キャリヤーの上に設けられ、両端が夫々第四導電層及び第六導電層と電気的に接続され、前記第四導電層から前記第六導電層に指している少なくとも一つの第四発光ユニットを含む第四発光ユニット回路と、
を含み、
前記第二導電層及び前記第四導電層の面積は、１．９×１０３μｍ２以上であり、
前記第二発光素子は、
前記積載部の上に設けられる第二絶縁キャリヤーと、
前記第二絶縁キャリヤーの上に設けられ、両端が夫々面積が１．９×１０３μｍ２以上である第七導電層及び第八導電層と電気的に接続され、前記第七導電層から前記第八導電層に指している第五発光ユニットを含む第五発光ユニット回路と、
を含み、
前記第七導電層と前記第三導電層との間、及び、前記第八導電層と前記第四導電層との間は、夫々、導線により接続される、発光モジュール。
【請求項１９】
前記第一導電層及び前記第五導電層は、面積が１．９×１０３μｍ２以上であり、且つ、互いに接近し、同一の導線により共に交流電源の第一接点に接続され、
前記第三導電層及び前記第六導電層は、面積が１．９×１０３μｍ２以上であり、且つ、互いに接近し、同一の導線により共に前記交流電源の第二接点に接続される、請求項１５又は１８に記載の発光モジュール。
【請求項２０】
発光モジュールであって、
積載部と、第一発光素子と、第二発光素子と、少なくとも一つの通路領域と、第一金属導線と、第二金属導電と、を含み、
前記第一発光素子は、
前記積載部の上に設けられる絶縁キャリヤーと、
前記絶縁キャリヤーの上に設けられ、両端が夫々第一導電層及び第二導電層と電気的に接続され、前記第一導電層から前記第二導電層に指している少なくとも一つの第一発光ユニットを含む第一発光ユニット回路と、
前記第一絶縁キャリヤーの上に設けられ、両端が夫々第二導電層及び第三導電層と電気的に接続され、前記第三導電層から前記第二導電層に指している少なくとも一つの第二発光ユニットを含む第二発光ユニット回路と、
前記第一絶縁キャリヤーの上に設けられ、両端が夫々第二導電層及び第四導電層と電気的に接続され、前記第二導電層から前記第四導電層に指している少なくとも一つの第三発光ユニットを含む第三発光ユニット回路と、
前記第一絶縁キャリヤーの上に設けられ、両端が夫々第四導電層及び第五導電層と電気的に接続され、前記第四導電層から前記第五導電層に指している少なくとも一つの第四発光ユニットを含む第四発光ユニット回路と、
前記第一絶縁キャリヤーの上に設けられ、両端が夫々第四導電層及び第六導電層と電気的に接続され、前記第四導電層から前記第六導電層に指している少なくとも一つの第五発光ユニットを含む第五発光ユニット回路と、
を含み、
前記第一導電層、前記第五導電層、前記第三導電層、及び前記第六導電層の面積は、１．９×１０３μｍ２以上であり、
前記第二発光素子は、少なくとも一つの第六発光ユニットを含む第六発光ユニット回路を含み、前記第六発光ユニット回路の両端は、夫々、第七導電層及び第八導電層と電気的に接続され、前記第三発光ユニット回路との直列接続又は並列接続のために供され、
前記通路領域は、前記第一発光素子と前記第二発光素子との間隔領域に形成され、前記通路領域の中には、粘性ゴム材が充満され、
前記第一金属導線は、前記粘性ゴム材に設けられ、また、前記第七導電層及び前記第三発光ユニット回路と電気的に接続され、
前記第二金属導線は、前記粘性ゴム材に設けられ、また、前記第八導電層及び前記第三発光ユニット回路と電気的に接続される、発光モジュール。
【請求項２１】
前記第一金属導線は、また、前記第二導線層に接続され、前記第二金属導線は、また、前記第四導電層に接続され、前記第六発光ユニット回路と前記第三発光ユニット回路とは、並列接続となる、請求項２０に記載の発光モジュール。
【請求項２２】
発光モジュールであって、
積載部と、第一発光素子と、第二発光素子と、少なくとも一つの通路領域と、第一金属導線と、第二金属導電と、を含み、
前記第一発光素子は、
前記積載部の上に設けられる第一絶縁キャリヤーと、
前記絶縁キャリヤーの上に設けられ、両端が夫々第一導電層及び第二導電層と電気的に接続され、前記第一導電層から前記第二導電層に指している少なくとも一つの第一発光ユニットを含む第一発光ユニット回路と、
前記第一絶縁キャリヤーの上に設けられ、両端が夫々第二導電層及び第三導電層と電気的に接続され、前記第三導電層から前記第二導電層に指している少なくとも一つの第二発光ユニットを含む第二発光ユニット回路と、
前記第一絶縁キャリヤーの上に設けられ、両端が夫々第四導電層及び第五導電層と電気的に接続され、前記第四導電層から前記第五導電層に指している少なくとも一つの第三発光ユニットを含む第三発光ユニット回路と、
前記第一絶縁キャリヤーの上に設けられ、両端が夫々第四導電層及び第六導電層と電気的に接続され、前記第四導電層から前記第六導電層に指している少なくとも一つの第四発光ユニットを含む第四発光ユニット回路と、
を含み、
前記第一導電層、前記第三導電層、前記第五導電層、及び前記第六導電層の面積は、夫々、１．９×１０３μｍ２以上であり、
前記第二発光素子は、
前記積載部の上に設けられる第二絶縁キャリヤーと、
前記第二絶縁キャリヤーの上に設けられ、両端が夫々第七導電層及び第八導電層と電気的に接続され、前記第七導電層から前記第八導電層に指している少なくとも一つの第五発光ユニットを含む第五発光ユニット回路と、
を含み、
前記通路領域は、前記第一発光素子と前記第二発光素子との間隔領域に形成され、前記通路領域の中には、粘性ゴム材が充満され、
前記第一金属導線は、前記粘性ゴム材に設けられ、また、前記第七導電層及び前記第二導電層と電気的に接続され、
前記第二金属導線は、前記粘性ゴム材に設けられ、また、前記第八導電層及び前記第四導電層と電気的に接続される、発光モジュール。
【請求項２３】
前記発光モジュールは、さらに、光転換物質を含み、
前記光転換物質は、黄緑色蛍光粉であり、また、均一、不均一又は濃度の漸進的変化の方式で前記第一又は第二発光素子の中に散布され、
前記第一発光素子は、赤色光を発し、
前記第二発光素子は、青色光を発する、請求項１６乃至２２のうち何れか１項に記載の発光モジュール。